(57)【要約】【課題】所定の通貨単位で表示された商品の価格を簡単に他の所望の通貨単位で表示できるようにする。【解決手段】情報提供サーバ１０よりインターネット２０を介して提供された各国の通貨レートは、ホストコンピュータ１００によって取得され、送信装置２００よりアンテナ２１０を介して電波により配信される。この通貨レートは商品に貼付されたＩＣタグ３００によって受信され記憶される。レート表示器４００を所望の商品のＩＣタグ３００に近づけると、そのＩＣタグ３００に記憶されている通貨レートがＩＣタグスキャナ４３０によって読み取られ、商品の単価と通貨レートに基づいて他の通貨の単価に換算され、表示部４１０の画面に各国の通貨を表す通貨記号とともに表示される。【選択図】図１
2007018035.tif 000002
【特許請求の範囲】
【請求項１】
少なくとも１国の通貨レートを配信する配信装置と、前記配信装置によって配信された前記通貨レートを受信して記憶する情報記憶媒体と、前記情報記憶媒体から少なくとも１国の通貨レートを読み出し、１または複数の所定の通貨に換算して表示する表示装置とからなる通貨換算表示システムであって、
前記配信装置は、
少なくとも１国の現在の通貨レートを収集する収集手段と、
前記収集手段によって収集された前記通貨レートを記憶する第１の記憶手段と、
前記第１の記憶手段によって記憶された前記通貨レートを配信する配信手段と
を備え、
前記情報記憶媒体は、
前記配信手段によって配信された前記通貨レートを受信する受信手段と、
前記受信手段によって受信された前記通貨レートを記憶する第２の記憶手段と、
前記第２の記憶手段によって記憶された前記通貨レートを前記表示装置に提供する提供手段と
を備え、
前記表示装置は、
前記情報記憶媒体によって提供される前記通貨レートを取得する取得手段と、
前記取得手段によって取得された前記通貨レートを記憶する第３の記憶手段と、
前記第３の記憶手段によって記憶された前記通貨レートに基づいて、所定の商品の価格を前記通貨レートに対応する各国の通貨に換算する換算手段と、
前記換算手段によって各国の通貨に換算された前記商品の価格を各通貨の記号とともに表示する表示手段と
を備える
ことを特徴とする通貨換算表示システム。
【請求項２】
少なくとも１国の通貨レートを配信する配信装置と、前記配信装置によって配信された前記通貨レートを受信し、受信した前記通貨レートに基づいて１または複数の所定の通貨に換算して表示する表示装置とからなる通貨換算表示システムであって、
前記配信装置は、
少なくとも１国の現在の通貨レートを収集する収集手段と、
前記収集手段によって収集された前記通貨レートを記憶する第１の記憶手段と、
前記第１の記憶手段によって記憶された前記通貨レートを配信する配信手段と
を備え、
前記表示装置は、
前記配信手段によって配信された前記通貨レートを受信する受信手段と、
前記受信手段によって受信された前記通貨レートを記憶する第２の記憶手段と、
前記第２の記憶手段によって記憶された前記通貨レートに基づいて、所定の商品の価格を前記通貨レートに対応する各国の通貨に換算する換算手段と、
前記換算手段によって各国の通貨に換算された前記商品の価格を各通貨の記号とともに表示する表示手段と
を備える
ことを特徴とする通貨換算表示システム。
【請求項３】
前記表示手段によって表示される通貨を指定する指定手段をさらに備え、
前記換算手段は、前記商品の価格を前記指定手段によって指定された通貨に換算し、
前記表示手段は、前記商品の価格を前記指定手段によって指定された前記通貨に換算して各通貨の記号とともに表示する
ことを特徴とする請求項１または２に記載の通貨換算表示システム。
【請求項４】
少なくとも１国の通貨レートを配信する配信装置から配信された前記通貨レートに基づいて商品の価格を１または複数の所定の通貨に換算して表示する表示装置であって、
前記配信装置によって配信された前記通貨レートを受信する受信手段と、
前記受信手段によって受信された前記通貨レートを記憶する第１の記憶手段と、
前記商品の識別情報を読み取る読み取り手段と、
前記商品の前記識別情報と前記商品の価格を対応付けて記憶する第２の記憶手段と、
前記第１の記憶手段によって記憶された前記通貨レートに基づいて、前記第２の記憶手段によって記憶されている前記識別情報に対応する前記商品の価格を前記通貨レートに対応する各国の通貨に換算する換算手段と、
前記換算手段によって各国の通貨に換算された前記商品の価格を各通貨の記号とともに表示する表示手段と
を備えることを特徴とする表示装置。
【発明の詳細な説明】
【技術分野】
【０００１】
本発明は通貨換算表示システムに関し、特に、所定の通貨単位で表示された商品の価格を現在の通貨レートに基づいて他の通貨単位で表示する通貨換算表示システムに関する。
【背景技術】
【０００２】
従来、国際線主要ターミナルの免税品店では、商品の価格が各国の通貨で表示されている。手持ちの外貨単位と店頭で表示されている表示価格の通貨単位とが異なる場合、消費者は商品の価値が分からないため、購入意欲が低下し、手元に残った外貨をそのまま自国に持ち帰ることがある。あるいは、消費者自身が、または店員が電卓（電子式卓上計算機）等を用いて手動で、その商品の価格を消費者が希望する通貨単位に換算し、換算額を表示させてその商品の価値を知り、購入するか否かを判断するようにしていた。
この換算額の算出と表示を容易にするために、表示部に複数種類の通貨記号と通貨記号毎に入力欄を表示し、任意の通貨記号に対応する入力欄に任意の数値を入力すると、入力した数値を他の通貨にそれぞれ換算し、換算結果を対応する通貨記号の入力欄にそれぞれ表示するようにしたものがある（例えば、特許文献１参照）。
【特許文献１】特開２０００−３１５１９５号公報
【発明の開示】
【発明が解決しようとする課題】
【０００３】
しかしながら、電卓等を用いて手動で商品の価格を所望の通貨単位に換算する場合、価格と通貨レートをその都度入力しなければならないため、面倒であった。一方、特許文献１の発明でも、商品の価格をその都度入力しなければならないため、操作が煩雑であり、入力ミスも起こり得るという問題があった。また、通貨レートは日々変化するが、常に最新の通貨レートをその都度入力設定する必要があり、この点でも操作が煩雑になるという問題があった。
【０００４】
本発明はこのような状況に鑑みてなされたものであり、簡単な操作で商品の価格を１または複数の所望の通貨単位で表示することができるようにするものである。
【課題を解決するための手段】
【０００５】
請求項１に記載の通貨換算表示システムは、少なくとも１国の通貨レートを配信する配信装置と、配信装置によって配信された通貨レートを受信して記憶する情報記憶媒体と、情報記憶媒体から少なくとも１国の通貨レートを読み出し、１または複数の所定の通貨に換算して表示する表示装置とからなる通貨換算表示システムであって、配信装置は、少なくとも１国の現在の通貨レートを収集する収集手段と、収集手段によって収集された通貨レートを記憶する第１の記憶手段と、第１の記憶手段によって記憶された通貨レートを配信する配信手段とを備え、情報記憶媒体は、配信手段によって配信された通貨レートを受信する受信手段と、受信手段によって受信された通貨レートを記憶する第２の記憶手段と、第２の記憶手段によって記憶された通貨レートを表示装置に提供する提供手段とを備え、表示装置は、情報記憶媒体によって提供される通貨レートを取得する取得手段と、取得手段によって取得された通貨レートを記憶する第３の記憶手段と、第３の記憶手段によって記憶された通貨レートに基づいて、所定の商品の価格を通貨レートに対応する各国の通貨に換算する換算手段と、換算手段によって各国の通貨に換算された商品の価格を各通貨の記号とともに表示する表示手段とを備えることを特徴とする。
請求項２に記載の通貨換算表示システムは、少なくとも１国の通貨レートを配信する配信装置と、配信装置によって配信された通貨レートを受信し、受信した通貨レートに基づいて１または複数の所定の通貨に換算して表示する表示装置とからなる通貨換算表示システムであって、配信装置は、少なくとも１国の現在の通貨レートを収集する収集手段と、収集手段によって収集された通貨レートを記憶する第１の記憶手段と、第１の記憶手段によって記憶された通貨レートを配信する配信手段とを備え、表示装置は、配信手段によって配信された通貨レートを受信する受信手段と、受信手段によって受信された通貨レートを記憶する第２の記憶手段と、第２の記憶手段によって記憶された通貨レートに基づいて、所定の商品の価格を通貨レートに対応する各国の通貨に換算する換算手段と、換算手段によって各国の通貨に換算された商品の価格を各通貨の記号とともに表示する表示手段とを備えることを特徴とする通貨換算表示システム。
また、表示手段によって表示される通貨を指定する指定手段をさらに備え、換算手段は、商品の価格を指定手段によって指定された通貨に換算し、表示手段は、商品の価格を指定手段によって指定された通貨に換算して各通貨の記号とともに表示するようにすることができる。
請求項４に記載の表示装置は、少なくとも１国の通貨レートを配信する配信装置から配信された通貨レートに基づいて商品の価格を１または複数の所定の通貨に換算して表示する表示装置であって、配信装置によって配信された通貨レートを受信する受信手段と、受信手段によって受信された通貨レートを記憶する第１の記憶手段と、商品の識別情報を読み取る読み取り手段と、商品の識別情報と商品の価格を対応付けて記憶する第２の記憶手段と、第１の記憶手段によって記憶された通貨レートに基づいて、第２の記憶手段によって記憶されている識別情報に対応する商品の価格を通貨レートに対応する各国の通貨に換算する換算手段と、換算手段によって各国の通貨に換算された商品の価格を各通貨の記号とともに表示する表示手段とを備えることを特徴とする。
【発明の効果】
【０００６】
本発明の通貨換算表示装置によれば、商品の価格を簡単に所望の通貨単位で表示することができるようにしたので、商品の価値を容易に知ることができる。これにより、消費者の購買意欲の低下を抑制し、消費行動の機会損失を防止することができる。
【発明を実施するための最良の形態】
【０００７】
図１は、本発明の通貨換算表示システムの第１の実施の形態の構成例を示す図である。同図に示すように、本実施の形態は、インターネット２０に接続され、通貨レート等の各種データを提供する情報提供サーバ１０と、インターネット２０に接続され、情報提供サーバ１０が提供する通貨レート等のデータを収集し、収集した通貨レート等のデータを後述する送信装置２００を介して配信する配信装置としてのホストコンピュータ１００と、ホストコンピュータ１００に接続され、ホストコンピュータ１００より供給された通貨レート等のデータをアンテナ２１０より電波によって送信する送信装置２００と、送信装置２００からアンテナ２１０を介して電波により送信されたデータを図示しないアンテナを介して受信し、受信したデータおよび商品名、単価等の商品データを図示しないメモリに保存するとともに、それらのデータを要求に応じて送信するＩＣ（Integrated Circuit）タグ３００と、ＩＣタグ（ＲＦＩＤ（Radio Frequency-Identification）タグ）３００から通貨レートや商品データ等を読み取り、商品の表示価格を所望の通貨に換算して表示するレート表示器４００とから構成されている。
【０００８】
情報提供サーバ１０は、図示しない制御部の制御によりインターネット２０を介して現在の各国の通貨レートを配信するようになっている。ホストコンピュータ１００は、記憶装置１１１を有し、図示しない制御部の制御によりインターネット２０を介して情報提供サーバ１０が提供する各国の通貨レートを示すデータを収集し、記憶装置１１１に保存するようになっている。あるいは、ユーザが後述する操作部１０９を操作して入力した各国の通貨レートを記憶装置１１１に保存することもできる。
【０００９】
送信装置２００は、ホストコンピュータ１００より供給された各国の通貨レートに対応するデータをアンテナ２１０を介して電波により送信するようになっている。
【００１０】
ＩＣタグ３００は、図示しないＩＣチップとアンテナより構成され、ＩＣチップは、データを記憶するメモリ、各部を制御するＣＰＵ（Central Processing Unit）、通信を制御する通信制御部等からなり、アンテナを介して受信した電波によって各部を駆動するための電力を発生するとともに、アンテナを介して通貨レート等のデータを送受信するようになっている。
【００１１】
レート表示器４００は、ＩＣタグ３００から通貨レートを読み込むＩＣタグスキャナ４３０と、各種データやコマンドを入力するための操作部４２０と、各国の通貨毎の商品価格等を表示する表示部４１０等から構成されている。
【００１２】
図２は、ホストコンピュータ１００の構成例を示すブロック図である。同図に示すように、ホストコンピュータ１００は、各部を制御するＣＰＵ１０１と、ＣＰＵ１０１が動作するための各種プログラムを記憶するＲＯＭ（Read Only Memory）１０２と、ＣＰＵ１０１が各種処理を実行する上で必要となる各種データを記憶するＲＡＭ（Random Access Memory）１０３と、電源がオフされても記憶しておきたい各種設定値等を記憶するＥＥＰＲＯＭ（Electrically Erasable and Programmable Read Only Memory）１０４と、ＣＰＵ１０１の制御下、インターネット２０を介した通信を制御する通信制御部１０５と、後述するインタフェース（Ｉ／Ｆ）１０６より供給された制御信号に従って各種データを表示する表示部１０７と、ＣＰＵ１０１よりバス１１３を介して供給された制御信号を表示部１０７に対して供給するインタフェース（Ｉ／Ｆ）１０６と、各種データやコマンドを入力するための操作部１０９と、操作部１０９から入力された各種データやコマンドをバス１１３を介してＣＰＵ１０１に供給するインタフェース（Ｉ／Ｆ）１０８と、通貨レート等の各種データを記憶する記憶装置１１１と、後述する送信装置２００に対して送信すべきデータを供給するとともに、送信装置２００による無線通信を制御する無線通信制御部１１２等から構成されている。
【００１３】
図３は、レート表示器４００の構成例を示すブロック図である。同図に示すように、レート表示器４００は、各部を制御するＣＰＵ４０１と、ＣＰＵ４０１が動作するための各種プログラムを記憶するＲＯＭ４０２と、ＣＰＵ４０１が各種処理を実行する上で必要となる各種データを記憶するＲＡＭ４０３と、電源がオフされても記憶しておきたい各種設定値等を記憶するＥＥＰＲＯＭ４０４と、ＩＣタグ３００の図示しないＩＣチップに記憶されている通貨レート等のデータを読み取り、読み取ったデータをスキャナ制御部４０５に供給するＩＣタグスキャナ４３０と、ＩＣタグスキャナ４３０を制御し、ＩＣタグスキャナ４３０より供給されたデータをバス４０８を介してＣＰＵ４０１に供給するスキャナ制御部４０５と、表示部４１０に対してＣＰＵ４０１より供給された表示データに対応する制御信号を供給するインタフェース（Ｉ／Ｆ）４０６と、インタフェース４０６より供給された制御信号に従って表示データを表示する表示部４１０と、操作部４２０に対してユーザにより行われた操作に対応する操作データをバス４０８を介してＣＰＵ４０１に供給するインタフェース（Ｉ／Ｆ）４０７等から構成されている。
【００１４】
図４は、商品が陳列されるラックの構成例を示している。同図に示すように、ラックには上下方向に複数の棚２２０（この例では、棚２２０−１，２２０−２等）が配置され、各棚２２０の前面には棚札２３０（この例では、棚札２３０−１，２３０−２等）が設けられている。この棚札２３０には、商品の名称および価格等が印刷されている。
【００１５】
棚２２０の上に置かれた各商品には、ＩＣタグ３００（この例では、ＩＣタグ３００−１，３００−２，３００−３，・・・，３００−７等）がそれぞれ貼付されている。各ＩＣタグ３００の図示しないＩＣチップには、商品の単価等の商品データと、送信装置２００より送信された現在の各国の通貨レート等が記憶されている。
【００１６】
図５は、ＩＣタグ３００の図示しないＩＣチップに記憶されている通貨レートを示している。このように、ＩＣチップには、各国毎の通貨レートが記憶されている。この例では、通貨単位ドルに対して通貨レート１０８が、通貨単位ユーロに対して通貨レート１３５が、通貨単位ポンドに対して１９６がそれぞれ記憶されている。
【００１７】
図６は、ＩＣタグ３００のＩＣチップに記憶されている商品データの例を示している。このように、ＩＣタグ３００が貼付された商品の商品名と単価からなる商品データが固定情報（通貨レートのように頻繁に更新されない情報）としてＩＣタグ３００を構成するＩＣチップに記憶されている。図６（ａ）は、商品名が「キャラメル」の商品に貼付されたＩＣタグ３００のＩＣチップに記憶されている商品データの例を示しており、商品名「キャラメル」と単価「１００」とからなる。図６（ｂ）は、商品名が「チョコレート」の商品に貼付されたＩＣタグ３００のＩＣチップに記憶されている商品データの例を示しており、商品名「チョコレート」と単価「２００」とからなる。図６（ｃ）は、商品名が「ガム」に貼付されたＩＣタグ３００のＩＣチップに記憶されている商品データの例を示しており、商品名「ガム」と単価「５０」とからなる。
【００１８】
図７は、レート表示器４００の表示部４１０の画面に所定の商品の各国の通貨に対応する単価が表示された表示例を示している。例えば、商品名「キャラメル」の単価が、各国の通貨記号とともに表示されている。この例では、通貨「円」に対応する通貨記号に対応して単価「１００」が表示されている。また、通貨「ドル」に対応する通貨記号に対応して単価「１０８」が表示されている。また、通貨「ユーロ」に対応する通貨記号に対応して単価「１３５」が表示されている。また、通貨「ポンド」に対応する通貨記号に対応して単価「１９６」が表示されている。
【００１９】
画面の右端には、上スクロールボタン４１１および下スクロールボタン４１２が表示され、上スクロールボタン４１１を操作することにより、画面に表示された各項目が下方向にスクロールし、画面に表示できなかった項目がある場合には、それらの項目を表示させることができるようになっている。また、下スクロールボタン４１２を操作することにより、画面に表示された各項目が上方向にスクロールし、画面に表示できなかった項目がある場合には、それらの項目を画面に表示させることができるようになっている。
【００２０】
次に、図８のフローチャートを参照して、ホストコンピュータ１００の動作について説明する。まず、ステップＳ１において、インターネット２０を介して通貨レートの収集が行われる。即ち、ＣＰＵ１０１は、通信制御部１０５を制御し、インターネット２０を介して情報提供サーバ１０が提供する各国の通貨レートを収集する。
【００２１】
次に、ステップＳ２において、ＣＰＵ１０１は、収集した各国の通貨レートをバス１１３およびインタフェース（Ｉ／Ｆ）１１０を介して記憶装置１１１に供給する。記憶装置１１１は、ＣＰＵ１０１よりバス１１３およびインタフェース１１０を介して供給された各国の通貨レートを各国毎に記憶する。
【００２２】
次に、ステップＳ３において、ＣＰＵ１０１は、記憶装置１１１に記憶された各国の通貨レートを読み出し、無線通信制御部１１２に供給するとともに、各国の通貨レートを電波により送信するよう指令する。この指令を受けた無線通信制御部１１２は、ＣＰＵ１０１より供給された各国の通貨レートに対応するデータを送信装置２００に供給するとともに、このデータを電波により送信するよう指令する制御信号を供給する。
【００２３】
この指令を受けた送信装置２００は、無線通信制御部１１２より供給された各国の通貨レートに対応するデータをアンテナ２１０より電波によって送信する。このとき、無線通信制御部１１２は、各ＩＣタグ３００毎に、ＩＣタグ３００の固有識別情報に基づいて個別にＩＣタグ３００を呼び出し、通貨レートに対応するデータを送信するようにすることができる。あるいは、全てのＩＣタグ３００に対して通貨レートを一斉に配信するようにしてもよい。
【００２４】
次に、ステップＳ４において、ＣＰＵ１０１により、本処理の終了が指示されたか否かが判定される。本処理の終了が指示されていないと判定された場合、ステップＳ１に戻り、ステップＳ１以降の処理が繰り返し実行される。一方、例えば、操作部１０９から処理の終了を指示するコマンドが入力されるなどして本処理の終了が指示されたと判定された場合、本処理を終了する。
【００２５】
図８のフローチャートに示した手順でホストコンピュータ１００に接続された送信装置２００よりアンテナ２１０を介して送信された通貨レートに対応するデータは、各商品に貼付されているＩＣタグ３００によって図示しないアンテナを介して受信され、ＩＣタグ３００を構成する図示しないＩＣチップに記憶される。このように、ＩＣタグ３００のＩＣチップに記憶されている各国の通貨レートは、所定のタイミングで最新のものに更新される。
【００２６】
次に、図９のフローチャートを参照して、レート表示器４００の動作について説明する。ユーザである消費者がレート表示器４００を所望の商品に貼付されているＩＣタグ３００に近づけると、以下のような手順でレート表示器４００はその商品に貼付されているＩＣタグ３００の図示しないＩＣチップに記憶されている通貨レートおよび商品データ等を読み取り、その商品の単価を各国の通貨に対応する単価に変換して表示部４１０に表示する。
【００２７】
まず、ステップＳ１１において、ＣＰＵ４０１は、スキャナ制御部４０５に対して、商品に貼付されているＩＣタグ３００から、各国の通貨レートおよび商品データ等を読み出すよう指令する。
【００２８】
この指令を受けたスキャナ制御部４０５は、ＩＣタグスキャナ４３０に対して、ＩＣタグ３００から各国の通貨レート等のデータを読み出すよう指示する制御信号を供給する。この制御信号の供給を受けたＩＣタグスキャナ４３０は、ＩＣタグ３００との間で通信を行い、ＩＣタグ３００のＩＣチップに記憶されている各国の通貨レート、および商品名、商品の単価等からなる商品データを読み出し、スキャナ制御部４０５に供給する。
【００２９】
スキャナ制御部４０５は、ＩＣタグスキャナ４３０より供給された各国の通貨レート、商品名、商品の単価等のデータをバス４０８を介してＣＰＵ４０１に供給する。
【００３０】
次に、ステップＳ１２において、ＣＰＵ４０１は、バス４０８を介してスキャナ制御部４０５より供給された各国の通貨レートと、商品の単価に基づいて、各国の通貨に対応する単価に換算する。
【００３１】
次に、ステップＳ１３において、ＣＰＵ４０１は、ステップＳ１２において換算された各国の通貨に対応する単価を、各国の通貨記号とともに表示するための表示データを生成し、その表示データをインタフェース４０６に供給する。インタフェース４０６は、ＣＰＵ４０１より供給された表示データに対応する制御信号を表示部４１０に供給する。
【００３２】
表示部４１０は、インタフェース４０６より供給された制御信号に従って駆動され、表示データに対応する文字や図形等を画面に表示する。例えば、上述した図７に示したように、商品名と、各国の通貨記号および各通貨記号で表される通貨に換算した商品の単価がそれぞれ表示される。
【００３３】
次に、ステップＳ１４において、ＣＰＵ４０１により、本処理の終了が指示されたか否かが判定される。本処理の終了が指示されていないと判定された場合、ステップＳ１１に戻り、ステップＳ１１以降の処理が繰り返し実行される。一方、例えば、操作部４２０から処理の終了を指示するコマンドが入力されるなどして本処理の終了が指示されたと判定された場合、本処理を終了する。
【００３４】
以上説明したように、本実施の形態においては、ユーザがレート表示器４００を商品に近づけるだけで、その商品の単価が各国の通貨に対応する単価に換算され、表示部４１０に表示される。従って、ユーザは、その商品の単価を自国の通貨の単価で知ることができ、商品の価値を容易に把握することができる。
【００３５】
次に、本発明の第２の実施の形態について説明する。図１０は、本発明の通貨換算表示システムの第２の実施の形態の構成例を示す図である。本実施の形態では、図１に示した第１の実施の形態におけるレート表示器４００とは構造が異なるレート表示器５００が用いられる。また、本実施の形態では、ＩＣタグ３００は用いられない。その他、情報提供サーバ１０、ホストコンピュータ１００、および送信装置２００の動作は図１に示した実施の形態の場合と同様である。
【００３６】
即ち、図１０に示した第２の実施の形態におけるレート表示器５００の場合、ホストコンピュータ１００に接続された送信装置２００からアンテナ２１０を介して送信された通貨レート等を表すデータを受信するためのアンテナ５３０と、棚札２３０等に印刷等によって形成されたバーコード２４０により記録された商品コード等のバーコードデータを読み取るバーコードリーダ５４０が設けられている。さらに、レート表示器５００には、レート表示器４００の場合と同様に、各種情報を表示する表示部５１０と、各種データやコマンドを入力するための操作部５２０とが設けられている。
【００３７】
図１１は、図１０に示した第２の実施の形態のレート表示器５００の構成例を示すブロック図である。同図に示すように、レート表示器５００は、各部を制御するＣＰＵ５０１と、ＣＰＵ５０１が動作するための各種プログラムを記憶するＲＯＭ５０２と、ＣＰＵ５０１が各種処理を実行する上で必要となる各種データを記憶するＲＡＭ５０３と、電源がオフされても記憶しておきたい各種設定値等を記憶するＥＥＰＲＯＭ５０４と、アンテナ５３０と、アンテナ５３０を介してホストコンピュータ１００に接続された送信装置２００との間で無線通信を行う無線通信制御部５０５と、表示部５１０に対してＣＰＵ５０１より供給された表示データに対応する制御信号を供給するインタフェース（Ｉ／Ｆ）５０６と、インタフェース５０６より供給された制御信号に従って表示データを表示する表示部５１０と、ユーザによる操作部５２０の操作に対応する操作データをバス５０９を介してＣＰＵ５０１に供給するインタフェース（Ｉ／Ｆ）５０７と、バーコードによって表されたバーコードデータを読み取り、バーコードリーダ制御部５０８に供給するバーコードリーダ５４０と、バーコードリーダ５４０に対して制御信号を供給してバーコードリーダ５４０を制御し、バーコードリーダ５４０によって読み取られたバーコードデータをバス５０９を介してＣＰＵ５０１に供給するバーコードリーダ制御部５０８等から構成されている。
【００３８】
ＥＥＰＲＯＭ５０４には、例えば、図１２に示したような商品データからなる商品情報データベースが予め構築されている。この商品情報データベースを構成する各商品の商品データは、ユーザが操作部５２０を操作して入力し、記憶させることができる。この例では、商品データは、商品コード、商品名、単価等からなる。
【００３９】
次に、図１３のフローチャートを参照して、レート表示器５００の動作について説明する。まず、ステップＳ２１において、ＣＰＵ５０１の制御下、無線通信制御部５０５は、送信装置２００よりアンテナ２１０を介して送信された通貨レート等のデータをアンテナ５３０を介して受信し、受信した通貨レート等のデータをＣＰＵ５０１にバス５０９を介して供給する。
【００４０】
次に、ステップＳ２２において、ＣＰＵ５０１は、無線通信制御部５０５より供給された通貨レート等のデータをＲＡＭ５０３に供給し、記憶させる。
【００４１】
次に、ステップＳ２３において、ＣＰＵ５０１の制御下、バーコードリーダ制御部５０８は、バーコードリーダ５４０に対してバーコードデータの読み取りを指示する制御信号を供給する。
【００４２】
バーコードリーダ５４０は、バーコードリーダ制御部５０８より供給された制御信号に従って棚札２３０のバーコードによって表されるバーコードデータを読み取る。バーコードデータは、この場合、少なくとも、棚札２３０に印刷されている商品名に対応する商品コードを含む。
【００４３】
次に、ステップＳ２４において、ＣＰＵ５０１は、バーコードデータに含まれる商品コードに対応する単価をＥＥＰＲＯＭ５０４の商品情報データベースから検索し、取得する。
【００４４】
次に、ステップＳ２５において、いま商品情報データベースから読み出した商品の単価と、ステップＳ２２においてＲＡＭ５０３に記憶された最新の各国の通貨レートに基づいて、棚札２３０に印刷された商品名に対応する商品の各国の通貨に対応する単価をそれぞれ算出する。
【００４５】
次に、ステップＳ２６において、ＣＰＵ５０１は、バーコードリーダ５４０によって読み取られたバーコードデータに含まれる商品コードに対応する商品名と、各国の通貨に対応する単価を表示するための表示データを生成し、インタフェース５０６に供給する。
【００４６】
インタフェース５０６は、ＣＰＵ５０１より供給された表示データに対応する制御信号を表示部５１０に供給する。これにより、表示部５１０の画面には、例えば、図７に示したように、商品名と、各国毎に、各国の通貨に対応する通貨記号およびその通貨に対応する商品の単価が表示される。また、画面の右隅には、表示項目を画面に対して下方向に移動させる上スクロールボタン４１１と、表示項目を画面に対して上方向にスクロールさせる下スクロールボタン４１２とが表示される。
【００４７】
次に、ステップＳ２７において、ＣＰＵ５０１により、本処理の終了が指示されたか否かが判定される。本処理の終了が指示されていないと判定された場合、ステップＳ２１に戻り、ステップＳ２１以降の処理が繰り返し実行される。一方、例えば、操作部５２０から処理の終了を指示するコマンドが入力されるなどして本処理の終了が指示されたと判定された場合、本処理を終了する。
【００４８】
以上説明したように、図１０乃至図１２に示した第２の実施の形態においては、ユーザがレート表示器５００を用いて商品が陳列されている棚２２０に取り付けられている棚札２３０に近づけて棚札２３０に印刷等により形成されたバーコードによって表されるバーコードデータを読み取るだけで、その棚札２３０に印刷された商品名に対応する商品の単価が各国の通貨に対応する単価に換算され、表示部５１０の画面にそれぞれ表示される。従って、ユーザは、その商品の単価を自国の通貨の単価で知ることができ、商品の価値を容易に把握することができる。
【００４９】
なお、第１の実施の形態においては、商品にＩＣタグ３００を貼付するようにしたが、その商品が陳列される棚２２０に取り付けられた棚札２３０にＩＣタグ３００を貼付するようにしてもよい。
【００５０】
また、上記第１の実施の形態においては、ＩＣタグ３００のＩＣチップには、商品名と単価を記憶させるようにしたが、商品名に代えて商品コードとすることができ、この場合には、レート表示器４００のＥＥＰＲＯＭ４０４に商品コードに対応する商品名を記憶させておくようにして、商品コードに対応する商品名が表示部４１０に表示されるようにすることができる。
【００５１】
また、上記第１の実施の形態においては、レート表示器４００は携帯可能なものとしたが、据え置き型にしてもよい。その場合、据え置き型のレート表示器４００が設置された場所まで商品を持ち運んで商品に貼付されたＩＣタグ３００を据え置き型のレート表示器４００に読み取らせるようにすればよい。
【００５２】
また、上記第２の実施の形態においては、ホストコンピュータ１００はレート表示器５００に無線によりデータの送信を行うようにしたが、ホストコンピュータ１００とレート表示器５００とを有線で結び、有線を介してデータを供給するようにすることもできる。
【００５３】
また、携帯電話機がＩＣタグ３００のデータを読み取る機能やバーコードからバーコードデータを読み取る機能を備えるようにし、通貨レートを所定のサーバから携帯電話機自身が持つ本来の通信機能を用いて収集するようにしても、上記各実施の形態と同様の処理を行うことができる。
【００５４】
また、上記実施の形態の構成及び動作は例であって、本発明の趣旨を逸脱しない範囲で適宜変更することができることは言うまでもない。
【産業上の利用可能性】
【００５５】
本発明の活用例として、例えば、携帯型または据え置き型のレート表示器４００に各国の通貨で商品の単価を表示する場合だけでなく、携帯電話機等を用いて自国の通貨で商品の単価を表示させる場合にも本発明を適用することができる。
【図面の簡単な説明】
【００５６】
【図１】本発明の通貨換算表示システムの第１の実施の形態の構成例を示す図である。
【図２】ホストコンピュータの構成例を示すブロック図である。
【図３】レート表示器の構成例を示すブロック図である。
【図４】商品が陳列されるラックの構成例を示す図である。
【図５】ＩＣタグの図示しないＩＣチップに記憶されている各国の通貨レートを示す図である。
【図６】ＩＣタグのＩＣチップに記憶されている商品データの例を示す図である。
【図７】レート表示器の表示部に所定の商品の各国の通貨に対応する単価が表示された表示例を示す図である。
【図８】ホストコンピュータの動作を説明するためのフローチャートである。
【図９】レート表示器の動作を説明するためのフローチャートである。
【図１０】本発明の通貨換算表示システムの第２の実施の形態の構成例を示す図である。
【図１１】第２の実施の形態のレート表示器の構成例を示すブロック図である。
【図１２】第２の実施の形態のレート表示器のＥＥＰＲＯＭに記憶されている商品データの例を示す図である。
【図１３】図１０のレート表示器の動作を説明するためのフローチャートである。
【符号の説明】
【００５７】
１０  情報提供サーバ
２０  インターネット
１００  ホストコンピュータ
１０１，４０１，５０１  ＣＰＵ
１０２，４０２，５０２  ＲＯＭ
１０３，４０３，５０３  ＲＡＭ
１０４，４０４，５０４  ＥＥＰＲＯＭ
１０５  通信制御部
１０６，１０８，１１０，４０６，４０７，５０６，５０７  インタフェース（Ｉ／Ｆ）
１０７  表示部
１０９，４２０，５２０  操作部
１１１  記憶装置
１１２，５０５  無線通信制御部
１１３，４０８，５０９  バス
２００  送信装置
２１０，５３０  アンテナ
２２０  棚
２３０  棚札
３００  ＩＣタグ
４００，５００  レート表示器
４０５  スキャナ制御部
４１０，５１０  表示部
４３０  ＩＣタグスキャナ
５０８  バーコードリーダ制御部
５４０  バーコードリーダ
【図１】
2007018035.tif 000003
【図２】
2007018035.tif 000004
【図３】
2007018035.tif 000005
【図４】
2007018035.tif 000006
【図５】
2007018035.tif 000007
【図６】
2007018035.tif 000008
【図７】
2007018035.tif 000009
【図８】
2007018035.tif 000010
【図９】
2007018035.tif 000011
【図１０】
2007018035.tif 000012
【図１１】
2007018035.tif 000013
【図１２】
2007018035.tif 000014
【図１３】
2007018035.tif 000015